【手続補正書】
【提出日】平成22年2月22日(2010.2.22)
【手続補正１】
【補正対象書類名】明細書
【補正対象項目名】００２５
【補正方法】変更
【補正の内容】
【００２５】
図４は、（ａ）送りねじ機構１ｃを構成する筒状軸受５０と、（ｂ）ねじ軸５２及びボール６５の詳細を示す断面図である。筒状軸受５０は、下側の外周部２０７が弁本体１０内に嵌入しており、下端外縁部分において、後述するばね受け本体７４の外向きフランジ部７５を介して、弁本体１０の段差部６４に支持されている。筒状軸受５０の外周の取付部２０６は、プレス加工等の手段によって弁本体１０側から抜け出し不能に取り付けられる。また、外周部２０７にはシール及び異物除去用のフィルタとして機能し、発泡金属等により形成されるリング５６が嵌め込まれる環状凹部２０８が形成されている。筒状軸受５０の上端面２０９は減速機構４０の出力内歯ギア４５を下側から支えており、筒状軸受５０の上側内周部２１０には減速機構４０の出力軸４６が嵌合している。筒状軸受５０はその内周の下部分に形成されている雌ねじ部５１を有しており、雌ねじ部５１はねじ軸５２の外周に形成されている雄ねじ部５３と螺合している。ねじ軸５２は上部に減速機構４０の出力軸４６の平ドライバ部である凸部５４が差し込まれるスリット状の凹部５５が形成されており、下部の凹部２１１にはボール６５が固着されている。ねじ軸５２の回転は、軸方向の移動に変換され、ボール６５を介して弁体６０側へ伝達される。
【手続補正２】
【補正対象書類名】明細書
【補正対象項目名】００２９
【補正方法】変更
【補正の内容】
【００２９】
図８は、減速機構４０を構成するキャリア４２と遊星ギア４３の詳細を示す図であって、（ａ）はキャリア４２の平面図、（ｂ）は遊星ギア４３の断面図、（ｃ）はキャリア４２の断面図、（ｄ）はプレート２５４を被せたキャリア４２の平面図である。キャリア４２は、例えばプラスチックを成型加工して形成され、中心部にシャフト２０１が貫通する孔２５０を有する円盤を備え、その上面の周縁部には上方に向けて延びる３本のマスト２５１と３個の隔壁２５２が周方向に交互に設けられている。遊星ギア４３は筒状に形成され、中心部にはキャリア４２のマスト２５１に回転自在に嵌合される孔２５１ａを有し、外周部にはギア部２５３を有する。各マスト２５１に遊星ギア４３を嵌合したキャリア４２の上面には、一枚のワッシャ状のプレート２５４が被せられ、マスト２５１と隔壁２５２の頂部の凸部がプレート２５４の孔２５５に圧入され、固定される。
【手続補正３】
【補正対象書類名】明細書
【補正対象項目名】００３１
【補正方法】変更
【補正の内容】
【００３１】
減速機構４０においては、ロータ組立体８のサンギア４１が入力ギアとなり、キャリア４２に支持された遊星ギア４３が、サンギア４１、固定ギアとしての内歯が形成されているリングギア４４、及び内周に内歯２６１が形成されている出力内歯ギア４５に同時に噛み合う。キャリア４２全体は、出力内歯ギア４５上で自由に回転できるように支持されている。リングギア４４と出力内歯ギア４５とは互いに転位した関係にあり、互いに歯数が僅かに相違する。遊星ギア４３が固定のリングギア４４と噛み合いながら自転しつつ公転するとき、歯数の相違に基づいてリングギア４４に対して出力内歯ギア４５が回転する。したがって、減速機構４０では、サンギア４１の入力が減速されて出力内歯ギア４５に出力され、例えば５０対１程度の大きな減速比で減速を行う。ロータ組立体８の回転は、例えば５０分の１に減速されて、出力軸４６に、そして更にはねじ軸５２に伝達される。ねじ軸５２は微少回転数での回転が可能となり、その回転に応じたねじ軸５２の軸方向変位は微小変位で制御可能となり、分解能の高い弁開度制御が達成される。
【手続補正４】
【補正対象書類名】明細書
【補正対象項目名】００３２
【補正方法】変更
【補正の内容】
【００３２】
図１０は、電動弁１の主要部の分解斜視図である。弁本体１０には２本の配管１８ａ，１８ｂが液密に取り付けられている。弁本体１０の上部外周には、キャン３０を取り付けるための受け部材２０が溶着されている。弁本体１０の筒状上部は受け部材２０を貫通して上方に延びており、当該筒状上部には、図１に示すように、ねじ軸５２と、ねじ軸にねじ係合する筒状軸受け５０とを含む送りねじ機構１ｃが嵌装される。弁本体１０の筒状上部には、ギアケース２２０の下端部が嵌装される。ギアケース２２０の内部において、送りねじ機構１ｃの上方には減速機構４０が配置される。ギアケース２２０の上部には４本の舌片２２２と凹部２２１が形成されており、舌片２２２の先端部２２２ａは根元部２２２ｂより幅寸法が大きくなるように形成されている。減速機構４０の一構成要素であり且つ樹脂等で作られる固定のリングギア４４は、内周面にリングギア歯２３５が形成され、外周部には４つの凹部２３４が形成されている。リングギア４４は、この凹部２３４をギアケース２２０の舌片２２２に差し込み、この部分を加熱してプラスチック製の固定ギアを溶融させることにより堅固に固定される。
【手続補正５】
【補正対象書類名】明細書
【補正対象項目名】００４８
【補正方法】変更
【補正の内容】
【００４８】
図１３には、本発明の更に別の実施例が示されている。図１２に示す実施例と同等の部品及び部位には同じ符号を付すことで再度の説明を省略する。図１３に示す例では、ばね受け７３は、その内向きフランジ部７６から弁体６０に沿って延びるガイド筒部７８を備えている。ガイド筒部７８によって、弁体６０のガイド長さが長くなるため、弁体６０の上下方向の直進性が向上するとともに、冷媒に含まれ得る異物が送りねじ機構１ｃ側に侵入するのを防止している。
【手続補正６】
【補正対象書類名】明細書
【補正対象項目名】００５１
【補正方法】変更
【補正の内容】
【００５１】
１  電動弁
１ａ  駆動部                        １ｂ  ギア減速機部
１ｃ  送りねじ機構                  １ｄ  弁本体部
２  モータ励磁装置                  ３  コイル
４  電気回路                        ５  取付具
６  凸部                            ７  係合孔
８  ロータ組立体
１０弁本体                          １２  弁室
１４  オリフィス                    １５  底面
１８ａ、１８ｂ  配管
２０  受け部材                      ３０  キャン
４０  遊星歯車式減速機構
４１  サンギア                      ４２  キャリア
４３  遊星ギア                      ４４  リングギア
４５  出力内歯ギア                  ４６  出力軸
５０  筒状軸受                      ５１  雌ねじ部
５２  ねじ軸                        ５３  雄ねじ部
５４  凸部                          ５５  凹部
５６  シール                        ６０  弁体
６２  弁座                          ６３  弁穴
６４  段差部                        ６５  ボール
６６  ボール受け部材                ６７  段差部
７０  コイルばね
７１  上端部                        ７２  他端部
７３  ばね受け（ばね覆い部材）      ７４  ばね受け本体
７５  外向きフランジ部                ７６  内向きフランジ部
７７  孔
８０  コイルばね                    ８１  上端部
８２  下端部                        ８３  凹溝
９０  ばね受けリング                ９１  当接面
９２  当接面                          ９３  当接面
２０１  シャフト                    ２０２  筒体
２０３  貫通孔                      ２０４  サンギア部材
２０５  ボス                        ２０６  段付部
２０７  外周部                      ２０８  環状凹部
２０９  上側内周部                  ２１１  下部凹部
２２０  ギアケース                  ２２１  上端縁
２２２  舌片        ２２２ａ  先端  ２２２ｂ  根元
２３３  フランジ                    ２３２  凸部
２３４  凹部                        ２３５  リングギア歯
２４０  皿ばね                      ２４１  孔
２４２  ばね部
２５０  孔                          ２５１  マスト
２５２  隔壁                        ２５３  ギア部
２５４  プレート                    ２５５  孔
２６０  孔                          ２６１  内歯
２６３  穴
【手続補正７】
【補正対象書類名】図面
【補正対象項目名】図８
【補正方法】変更
【補正の内容】
【図８】
2008101765.tif 000001